Podtech/llm-jp-corpus-v4-ja_patent huggingface dataset:
(57)【要約】      （修正有）【課題】コンクリート製水槽用装飾品を提供する。【解決手段】コンクリート構造物１の表面に定着加工を施し薄いガラス３で覆い形成した。組み合わせて、鑑賞用水槽内に魚礁を作りリアルな護岸を再現できる。【選択図】図１
0003183473.tif 000002
【実用新案登録請求の範囲】
【請求項１】
コンクリートに表面定着層を加味してガラス層を設けたコンクリート製の水槽用装飾品
【考案の詳細な説明】
【技術分野】
【０００１】本考案は観賞用水槽内にコンクリート建造物をレイアウトするためのミニチュア化と無害化に関する
【背景技術】
【０００２】従来の観賞用水槽装飾品にコンクリートは使用されなかった。
【考案の概要】
【考案が解決しようとする課題】
【０００３】狭い水槽内ではコンクリートの有害な物質が生き物に悪い影響を与える
コンクリートでは細かい製品の強度が弱い
【課題を解決するための手段】
【０００４】コンクリート表面に定着加工を施しガラスで覆う
【考案の効果】
【０００５】定着加工によりコンクリート表面とガラスが一体化しコンクリートが直接外気や水に接する事が無く生き物への悪影響をなくしガラスの強度により細かい形状の製品が実現できた。
【図面の簡単な説明】
【０００６】
【図１】「考案の断面図である。」
【図２】「考案の実施を示した立体図である。」
【考案を実施するための形態】
【０００７】図１−１はコンクリート
図１−２はコンクリート表面に定着処理をして定着剤を施す
図１−３はガラスで全面を覆う
図２のようなコンクリート構造物のミニチュアをガラスで覆い、組み合わせて観賞用水槽内に魚礁を作りリアルな護岸を再現できる。
図２−１はＵ字溝
図２−２は平板
図２−３は消波ブロック
【図１】
0003183473.tif 000003
【図２】
0003183473.tif 000004
(57)【要約】      （修正有）【課題】マスク本来の目的である、ウィルスや花粉を侵入させない、また、のどや鼻を乾燥から守る機能を備えつつも、ドライアイの症状を、緩和させるマスクを提供する。【解決手段】周辺が顔にフィットした立体マスク１で、マスク上部に付けた、マスクと顔の間の隙間をふさぐパッド２の、顔に接する面に、つまようじが収まる程度の細い溝、または穴３を縦方向に数本設ける。そうすることで、そこから、目に向けて、常時温かく潤った呼気が放出され常に目が潤う。また、マスク内を加湿する為にシートやフィルターを取り付ければ、一層効果が上がる。【選択図】図１
0003183454.tif 000002
【実用新案登録請求の範囲】
【請求項１】
周辺が顔にフィットした立体マスクで、マスクの上部に、顔とマスクの隙間をふさぐ目的のパッドを付けたマスクにおいて、パッドの顔に接する面に、つまようじが収まる程度の溝、又は穴を、マスクをかけた状態における縦方向に、数本設けたもの。マスクをかけた状態で、マスク内の潤った呼気が、集中的に、目に向けて放出される構造を特徴とするマスク。
【考案の詳細な説明】
【技術分野】
【０００１】  本考案は、周辺が顔にフィットする立体マスクで、上部に、マスクと顔、鼻との間の隙間をふさぐパッドを付けたマスクに関するものである。
【背景技術】
【０００２】  従来のマスクには、ウィルスや花粉を侵入させない為に、上部に、顔とマスクの隙間をふさぐパッドを付けた製品がある。【０００３】  また、のどや鼻の乾燥を防ぐ為に加湿用のシートやフィルターを取り付けさらにパッドを付けた製品がある。
【先行技術文献】
【特許文献】
【０００４】
【特許文献１】特開２０１２−８５７２８号公報
【特許文献２】特開２００５−６６２６５号公報
【考案の概要】
【考案が解決しようとする課題】
【０００５】  それら従来のマスクは、あくまでウィルス、花粉等を侵入させない、のどや鼻を乾燥から守る目的でつくられて来た。【０００６】  しかしながら、ドライアイ対策としてもたいへん有効なのにも関わらず、ドライアイ用のマスクがなかった。パッドを付けないマスクでも、多少の効果はあるが、鼻筋に沿って大方の呼気が抜けてしまい、目全体に行き渡らない。ドライアイは、目薬による対症療法が主であるが、目が潤うのは目薬を注した一時だけで、常時潤す事は、難しかった。
【課題を解決する為の手段】
【０００７】  そこで、本考案は、従来の機能を備えつつも、なおかつドライアイの症状を緩和させるのに有効なマスクを提供する事を目的とする。
【０００８】  本考案はマスクと顔の隙間をふさぐパッドに、つまようじが収まる程度の細い溝、もしくは穴を設ける事を特徴とする。
【０００９】  マスク内の温かく湿った呼気を眼球に向けてまんべんなく、常時放出することで、ドライアイの症状を緩和させる事ができる。
【００１０】  使用マスクを、マスク内に、加湿用のシートやフィルターを取り付けたものにすると、一層効果が上がる。
【００１１】  また、呼気抜きの溝、または穴を設けることによって、マスク内が過度に蒸れることを防ぐ効果がある。
【実施例】
【００１２】  以下に、本考案に係るマスクの実施例を、図１乃至図４に基づいて説明する。【００１３】  従来のパッド付きマスクのパッド部分２の顔に接する面に、つまようじが収まる程度の細い溝、または穴を数本設ける。（図１）【００１４】  上から見ると、目の位置に合わせて、溝、または穴３が設けてあるのがわかる。呼気４が効率よく目を潤す。（図２）【００１５】  溝、または穴３は、例として、三角柱、半円柱、円柱などの形態がある。（図３）
【図面の簡単な説明】
【図１】本考案マスクを内側から見た概略図である。
【図２】本考案マスクの使用状態を上から見た図である。
【図３】本考案マスクのパッドの溝、または穴の形態、三例（ａ）（ｂ）（ｃ）である。（部分図）
【符号の説明】
【００１６】１・・・マスク本体
２・・・パッド
３・・・溝または穴  （ａ）半円柱形（溝）  （ｂ）三角柱形（溝）  （ｃ）円柱（穴）
４・・・呼気
【図１】
0003183454.tif 000003
【図２】
0003183454.tif 000004
【図３】
0003183454.tif 000005
(57)【要約】      （修正有）【課題】どのような形状の食器にでも対応して、食器を速く洗う事が可能となる食器洗浄用具を提供する。【解決する手段】２つの同等のスポンジ２ａ、２ｂの中に、トング１に於ける、双方の先端を、差し込むようにして、スポンジ２ａ、２ｂと、トンク１の先端とを、組合わせて取付け、双方のトング１の先端に取付けたスポンジ２ａ、２ｂの上から、紐３ａ、３ｂを巻付けて、トング１の先端と、スポンジ２ａ２ｂとを、しっかりと、固定させる事によって、食器洗浄用具として使用するものであり、この食器洗浄用具を使用するに当っては、どのような形状の食器であっても、トンク１の開閉によって、食器の形状に合わせて食器を洗う事ができる。【選択図】図１
0003183457.tif 000002
【実用新案登録請求の範囲】
【請求項１】
トングに於ける、双方の先端に、スポンジを取付けて、ヒモを巻付けて、しっかりと固定する事を特徴とする、食器洗浄用具。
【考案の詳細な説明】
【技術分野】
【０００１】  本考案は一般家庭の調理場に於いて、食器を洗浄する為に用いる、食器洗浄用具に関する物である。
【背景の技術】
【０００２】  従来から調理場に於いて、食器を洗う場合、スポンジを直接、手に持って洗う場合が多く、コップ状の細長い食器を洗う場合には、スポンジに、棒状の長い柄の付いた用具を用いて、細長い食器の内部を洗う、という方法が用いられており、又、Ｕ字形の柄の双方の先端に、スポンジを取付けた用具も、見受けられる為、たぶん、茶碗のような食器を、Ｕ字形の柄の、双方の先端に取付けられたスポンジによって、挟み込んで、食器の内側と、外側とを、同時に洗う事を目的として、開発されたものと思われるが、実際に使用してみての実感としては、あまりにも使いずらくて、食器洗い用具としては、適していないと、思わざるを得ない。
【考案の開示】
【考案が解決しようとする課題】
【０００３】  本考案は、従来からの食器洗いの方法としての、スポンジを、直接、手に持って洗う場合よりも洗い易すく、又、従来からの食器洗い用具を使用する場合よりも、食器を洗い易すい状態で洗えるようにする為に、従来からの、食器洗い方法の欠点を、解決しようとする為のものである。
【考案が解決する為の手段】
【０００４】  本考案は、従来の食器洗い用具の欠点を欠点を取除き、目的を達成する為に、トングの両端の先端を、それぞれ、スポンジの中に差し込み、スポンジの上から紐を巻付けて、トングの両先端と、スポンジとを、しっかりと固定させて取付ける構造とする。
【考案の効果】
【０００５】  上記のように、本考案に於ける食器洗浄用具は、トングとスポンジとを、組合わせて用いる事により、トングを自在に開閉しながら、トングの先端に取付けたスポンジによって、食器を洗う事ができる為、スポンジを、直接、手に持って食器を洗うよりも、スピード感をもって食器を洗う事ができ、コップ状の細長い食器を洗う場合、１本の棒状の柄にスポンジを取付けた用具で洗うよりも、しっかりと、力を込めて、食器の内部を洗う事ができ、又、食器の内側と外側を、用具に取付けたスポンジによって、挟み込んで、同時に洗う方法に至っては、従来のＵ形の固形化した柄に、スポンジを取付けた用具とは異なり、洗うべき対象となる食器の形状に合わせて、トングの開閉ができる為、どのような形状の食器にでも対応して、トングに取付けたスポンジで挟み込んで、食器の内側及び外側を、同時に洗う事ができる。
【考案を実施する為の最良の形態】
【０００６】  本考案に於ける食器洗浄用具は、一般家庭に於いて食事を済ませた後の、食器を洗う場合に用いられる物であり、一般家庭に於いて食器を洗う場合、従来から、調理場に於ける洗い物容器に水を入れ、食事に使用した食器を入れて、食器洗い用洗済を投入し、通常、スポンジを直接手に持って食器を洗っていたが、本考案の食器洗浄用具を使用するに当っては、スポンジを、直接手に持って食器を洗う部分に付いて、トングを持ち、トンクの双方の先端に取付けられたスポンジによって、食器を洗う事となる。
【０００７】  食器を洗浄するに当っては、従来からの、直接スポンジを手に持って、食器を洗う方法と、本考案に於ける、食器洗浄用具を使用して、食器を洗う方法に付いての相違点は、すべての食器を洗う場合に付いても、本考案に於ける、食器洗浄用具を使用した場合の方が、食器を洗い易すい為、食器を洗うスピードが速くなり、又、コップ状の細長い食器を洗う場合、直接スポンジを手に持って食器を洗っている場合には、１本の柄の先に、スポンジが取付けてある、食器洗浄用具に持ち変えて、食器を洗う事になるが、本考案の食器洗浄用具の場合、用具を持ち変える事なく、そのまま、コップ状の細長い食器の内部を洗う事ができる事となり、本考案の食器洗浄用具は、どのような形状の食器にでも対応して、食器を洗う事が、できる、という事になる。
【実施例】
【０００８】  以下、添付図面に従がって、実施例を説明する。１は、金属を素材とした、トングであり、１ａ及び１ｂは、トング１に於ける、双方の先端を、示すものである。本考案に於ける、食器洗浄用具の構造としては、トング１に於ける、双方の先端１ａ及び１ｂを、２つの同等のスポンジ２ａ及び２ｂの側面、中央部から差し込んで、その上から、しっかりと、紐３を巻付けて、トング１の先端１ａとスポンジ２ａとを、又、トンク１の先端１ｂとスポンジ２ｂとを、しっかりと固定させる事により、食器洗浄用具としての使用を、可能とするものである。
【図面の簡単な説明】
【０００９】
【図１】本考案に於ける、食器洗浄用具の斜視図である。
【図２】本考案に於ける、食器洗浄用具を構成する、材料としての、スポンジ及びトングを示す、斜視図である。
【図３】本考案に於ける、食器洗浄用具を構成する、スポンジ、及び、トングを組合わせた状態の斜視図である。
【符号の説明】
【００１０】  １  トンク
２  スポンジ
３  紐
【図１】
0003183457.tif 000003
【図２】
0003183457.tif 000004
【図３】
0003183457.tif 000005
(57)【要約】      （修正有）【課題】紫外線から保護する目的で足元をカバーし、且つスポーツや日常のファッションに適したレッグウォーマーを提供する。【解決手段】一般的に普及している７分丈スパッツ・レギンスで露出するすねから足首部分を、ファッションとして確立されているレッグウォーマーの形状で紫外線からガードするものである。よって、素材は温暖な気候でも快適な綿やポリエステルなどの生地を使用、スポーツ向けには吸汗速乾機能生地を使用するものである。【選択図】図１
0003183452.tif 000002
【実用新案登録請求の範囲】
【請求項１】
7分丈から10分丈未満のスパッツ・レギンスで露出するすねから足首部分を、ファッションとして確立されているレッグウォーマーの形状を用い高いファッション性を保ちながら紫外線から保護する目的のレッグカバー。
【請求項２】
はき口にすべり止めを施すことによりずり落ちず、安心してスポーツや日常の屋外活動ができるレッグカバー。
【請求項３】
冬季以外の温暖な気候で装着しても快適な綿やポリエステルなどの生地を使用、スポーツ向けには吸汗速乾機能生地を使用するレッグカバー。
【請求項４】
フルレングス（10分丈）のスパッツ・レギンスに本考案のレッグカバーを装着した場合、装着しない場合よりもスタイルを良く見せる効果があり、ファッション性を向上させることができるため、温暖な季節においてもファッションとして用いることができるレッグカバー。
【考案の詳細な説明】
【技術分野】
【０００１】
本考案は、ファッション性の高い紫外線対策アイテムとしてのレッグカバーに関する。
【背景技術】
【０００２】
ここ数年、スポーツウェアのデザイン性が飛躍的に向上し、スパッツやレギンスを合わせたランニングスタイルやテニススタイルが定番化した。このスパッツ・レギンスにおいては、冬季には保温目的として１０分丈のものが販売されるが、保温目的以外ではスタイルのトータルバランス的に、またファッション性の高さから７分丈が一般的であり人気が高く、カラーバリエーションや機能も１０分丈や５分丈よりも多い。
【０００３】
冬季にはテニスウェアスタイルにおいて保温を目的として足元をカバーするレッグウォーマーが普及しつつあり、スパッツ・レギンスにレッグウォーマーを装着することにより保温性と高いファッション性を両立できる。形状としては特許文献1のようなものが一般的である。また、似た形状としては特許文献2のように雨などにより濡れることを防ぐ目的のレッグカバーがある。
【先行技術文献】
【特許文献】
【０００４】
【特許文献１】意匠登録第１３３２２７５号（Ｄ１３３２２７５）意匠公報
【特許文献２】特許公開２００７−２７７７６１公開特許公報
【考案の概要】
【考案が解決しようとする課題】
【０００５】
一般的に普及している７分丈スパッツ・レギンスではすねから足首部分の肌が露出し、紫外線を浴びてしまう。8分丈、9分丈も同様である。この足元部分をカバーする形状として、保温目的ではレッグウォーマー、また特許文献２のような雨などで濡れることを防ぐ目的でレッグカバーなどがすでに存在するが、紫外線から保護する目的で足元をカバーし、且つスポーツや日常のファッションに適したアイテムが存在しない。
【課題を解決するための手段】
【０００６】
本考案は、一般的に普及している７分丈、さらに７分丈から10分丈未満のスパッツ・レギンスで露出するすねから足首部分を、ファッションとして確立されている保温目的のレッグウォーマーの形状を用いて紫外線からガードするものである。よって素材はレッグウォーマーで一般的なウールやアクリルではなく、温暖な気候でも快適な綿やポリエステルなどの生地を使用、スポーツ向けには吸汗速乾機能生地を使用する。
【０００７】
また、スポーツや日常の屋外活動の際にずり落ちて紫外線を浴びるのを防ぐため、上部ゴム口部分にシリコンプリントやすべり止め仕様のゴムを用い、すべり止めを施す。
【考案の効果】
【０００８】
本考案のレッグカバーにより、一般的に普及している7分丈スパッツ・レギンスを取り入れたファッションスタイルまたはスポーツウェアスタイルを、冬季以外の屋外でも紫外線を気にせず楽しめる。当然８分丈、9分丈においても効果は同様である。また、はき口にすべり止めも施してあるため、安心してスポーツができる。また、フルレングス（10分丈）のスパッツ・レギンスに本考案のレッグカバーを装着しても、装着しない場合よりもスタイルを良く見せる効果があり、ファッション性を向上させることができる。
【図面の簡単な説明】
【０００９】
【図１】本考案のレッグウォーマーの全体図
【図２】すべり止めを施したはき口を斜め上方向から見た図
【考案を実施するための形態】
【００１０】
ランニング、ウォーキング、テニス、ゴルフ、日常、それぞれの屋外での通常の目的活動において、スパッツ・レギンスを用いたファッション性の高いスタイルに本考案のレッグカバーを装着する。
【図１】
0003183452.tif 000003
【図２】
0003183452.tif 000004
【手続補正書】
【提出日】平成25年3月6日(2013.3.6)
【手続補正１】
【補正対象書類名】実用新案登録請求の範囲
【補正対象項目名】全文
【補正方法】変更
【補正の内容】
【実用新案登録請求の範囲】
【請求項１】
7分丈から10分丈未満のスパッツ・レギンスで露出するすねから足首部分を、レッグウォーマーの形状としたことを特徴とするレッグカバー。
【請求項２】
はき口にすべり止めを施したことを特徴とする請求項1記載のレッグカバー。
【請求項３】
綿、ポリエステル、吸汗速乾機能生地のいずれかを使用したことを特徴とする請求項1又は2記載のレッグカバー。
(57)【要約】      （修正有）【課題】空気・エアーの力を利用した自動車の安全装置である自動車用エアーバンパーを提供する。【解決手段】不燃繊維、ビニール、プラスチィク等で製造した自動車用エアーバンパー１に、空気・エアーを入れて、自動車の前後のバンパー、前後の車体等に、強力接着剤で接着し、プラスチィク板、鉄板等で製造した自動車用エアーバンパー取り付け板に、強力接着剤で接着し、自動車の前後のバンパー前後の車体等にネジ、ボルト、等で取り付ける。自動車は各形状がちがうので、形状にあわせて、自動車用エアーバンパー、取り付け板等を製造する。【選択図】図１
0003183450.tif 000002
【実用新案登録請求の範囲】
【請求項１】
不燃繊維、ビニール、プラスチィク等で製造した自動車用エアーバンパーを自動車の前後のバンパー、前後の車体等に取り付けることで、衝突時空気・エアーの力で衝突を緩和する。
【考案の詳細な説明】
【技術分野】
【０００１】本考案は、不燃繊維、ビニール、プラスチィク等からなる自動車のバンパーに関する。
【背景技術】
【０００２】空気・エアーの力で衝突時、衝突を緩和する。
【考案の概要】
【考案が解決しようとする課題】
【０００３】自動車は、車両法による全長、全幅がきまっている。
【課題を解決するための手段】
【０００４】車両法内で自動車用エアーバンパーを取り付ける。
【考案の効果】
【０００５】自動車用エアーバンパーを取り付けることで、衝突を緩和する。
【図面の簡単な説明】
【０００６】
【図１】本考案の自動車用エアーバンパーの正面図である。
【図２】本考案の自動車用エアーバンパーの取り付け板である。
【考案を実施するための形態】
【０００７】不燃繊維、ビニール、プラスチィク等で製造した自動車用エアーバンパーに、空気・エアーを入れて、自動車の前後のバンパー、車体等に、強力接着剤で接着する。
自動車用エアーバンパーを、取り付け板に強力接着剤で、接着し自動車の前後のバンパー、車体等にネジ、ボルト等で取り付ける。
【産業上の利用可能性】
【０００８】自動車産業。
【符号の説明】
【０００９】１    自動車用エアーバンパー
２    自動車用エアーバンパー取り付け板
３    ネジ、ボルト穴
【図１】
0003183450.tif 000003
【図２】
0003183450.tif 000004
【手続補正書】
【提出日】平成25年2月21日(2013.2.21)
【手続補正１】
【補正対象書類名】実用新案登録請求の範囲
【補正対象項目名】全文
【補正方法】変更
【補正の内容】
【実用新案登録請求の範囲】
【請求項１】
自動車の前後のバンパー、車体の前後に取り付ける自動車用エアーバンパーであって、不燃繊維、ビニール、プラスチィク等で形成し、その内部に空気を入れたことを特徴とする自動車用エアーバンパー。
(57)【要約】      （修正有）【課題】家庭調理場の流し台でエプロンを使わずに、水はねを防ぐ流し台の縁に付ける土台を提供する。【解決手段】流し台の手前の縁に四角形の枠を付け、その枠に手ぬぐいを引っかけて、水はねを防ぐ。この枠の四隅はリベットなどで固定し、動かせるようにし、全体を押し下げたり、引き揚げたりできるようにする。使用時には枠を立てて、不使用時には枠を下に押し下げて流しの手前縁に収めることが出来る。エプロンをしなくても、洗物が出来る。【選択図】図１
0003183481.tif 000002
【実用新案登録請求の範囲】
【請求項１】
流し台の手前縁の外と内をまたいで抑えるような土台を付ける。土台は縦５センチ横３０センチ厚さ２．５センチほどの平面版で、流し台の縁のくぼみに合うように片側に縦１．２センチ幅２．５センチ長さ３０センチの出っ張りを付け、断面がＬ字型になるもので、その左右の下面に直径２．１ミリの穴をあけ、この穴に流し台を固定するための金属棒を通す。金属棒はこの字型に折り曲げ流し台を跨いで前後から流し台の縁をはさみ、土台を固定する。この金属棒は直径２ミリほどのステンレス丸棒で、土台の正横面中央に８センチ間隔で直径２．２ミリの穴を２個あけて通し、下にまげ縦横８センチこの字を作り、さらに土台の先の穴と対照の穴に通し、出た先を下に折り曲げ、縦５センチ、横８センチのこの字を作る。さらに。その先を対象の位置にある出発点の穴に通す。この先端は穴の中央で、前に指した金属棒と出会うようにする。そのためには、出発点の金属棒は穴の中央で待っているように調節しなければならない。この結果、流し台の手前と内側に縦５センチ横８センチと縦横８センチのこの字型枠が流し台の縁を跨いで出来るのである。手前側は下の扉が開閉できるような長さにしてある。このような折り曲げ金属棒を土台板の左右両端に２個付ける。これで流し台の縁を金属の抑え込む力によって挟み込むことができるようにした流し台の縁に付ける土台。
【請求項２】
流し台の縁に付けた土台の上に付けるために、縦２５センチ横３センチ厚さ２．５センチほどの平面版を２枚、および縦２６セン横３センチ厚さ２．５センチほどの平面板を２枚用いて四角形枠をつける。この枠の四隅はリベットなどで固定し、動かせるようにし、全体を押し下げたり、引き揚げたりできるようにする。使用時には、この枠を引き上げて、手ぬぐいをひっかけて、水はねをよけるようにする。邪魔な時はこの枠を押し下げる。このように４隅をリベットなどで固定し、上下に動かせるようにした流し台の土台の上に付ける四角形枠。
【考案の詳細な説明】
【技術分野】
【０００１】  家庭用流し台の手前縁に洗い物する時の水はねよけをつける。
【考案の概要】
【０００２】  流し台の手前縁に、簡単な水はねよけを付ける。
【考案が解決しようとする課題】
【０００３】  使用時に立体化し、不使用時には邪魔にならないように、平面化したい。
【課題を解決するための手段】
【０００４】  流し台の手前縁の外と内をまたいで抑えるような土台を付ける。土台は縦５センチ横３０センチ厚さ２．５センチほどの平面版で、流し台の縁のくぼみに合うように片側に縦１．２センチ幅２．５センチ長さ３０センチの出っ張りを付け、断面がＬ字型になるもので、その左右の下面に、流し台の縁をまたいで連結し、はさむための折り曲げた金属棒を付けたものである。この金属棒は直径２ミリほどのステンレス丸棒で、土台の正横面中央に８センチ間隔で直径２．２ミリの穴を２個あけて通し、下にまげ縦横８センチこの字を作り、さらに土台の先の穴と対照の穴に通し、出た先を下に折り曲げ、縦５センチ、横８センチのこの字を作る。さらに。その先を対象の位置にある出発点の穴に通す。この先端は穴の中央で、前に指した金属棒と出会うようにする。そのためには、出発点の金属棒は穴の中央で待っているように調節しなければならない。この結果、流し台の手前と内側に縦５センチ横８センチと縦横８センチのこの字型枠が流し台の縁を跨いで出来るのである。手前側は下の扉が開閉できるような長さにしてある。このような折り曲げ金属棒を土台板の左右両端に２個付ける。これで流し台の縁を金属の抑え込む力によって挟み込むことができるようにする。つぎに、この土台の上に縦２５センチ横３センチ厚さ２．５センチほどの平面版を２枚、および縦２６セン横３センチ厚さ２．５センチほどの平面板を２枚用いて四角形枠をつける。この枠の四隅はリベットなどで固定し、動かせるようにし、全体を押し下げたり、引き揚げたりできるようにする。
【考案の効果】
【０００５】使用時には枠を立てて、不使用時には枠を下に押し下げて流しの手前縁に収めることが出来る。エプロンをしなくても、洗物が出来る。
手ぬぐいを掛けて手をふくことが出来る。夜間に布巾などかけてかわかせる。
【図面の簡単な説明】
【０００６】
【図１】  本考案の流し台みずはねよけの正面図である。
【図２】  本考案の流し台みずはねよけの平面図である。
【図３】  本考案の流し台みずはねよけの側面図である。
【図４】  四角形枠を押し下げたときの状態を示す図である。
【図５】  流し台の縁に付ける土台の一部の斜め正面図である。
【図６】  四角形枠を引き上げ手ぬぐいをひっかけた図である。
【図１】
0003183481.tif 000003
【図２】
0003183481.tif 000004
【図３】
0003183481.tif 000005
【図４】
0003183481.tif 000006
【図５】
0003183481.tif 000007
【図６】
0003183481.tif 000008
(57)【要約】      （修正有）【課題】着用者の身体が寝袋よりも小さい場合に発生する布の余りを少なくすることができる人型寝袋を提供する。【解決手段】寝袋背面の胴体部から足までの数カ所にループ形状の生地１を縫いつけ、その中に紐２を通す。その紐を引っ張り、紐に付属の留め具３で留めることでサイズ調節を可能にする。【選択図】図１
0003183688.tif 000002
【実用新案登録請求の範囲】
【請求項１】
寝袋背面の胴体部から足までの数カ所にループ形状の生地（１）を縫いつけ、その中に紐（２）を通す構造。その紐の先端部分には留め具（３）が付いている。
【考案の詳細な説明】
【技術分野】
【０００１】本考案は人型形状の寝袋の背面部に取付けられた、サイズ調節構造に関するものである。
【背景技術】
【０００２】人型形状の寝袋とは、通常の寝袋がミノ虫形状、または封筒形状をしていることに対して、手足を分離させ、人体に沿った形に成形された寝袋である。【０００３】しかしながら従来の人型形状の寝袋にはサイズ調節機能が無く、着用者の身体が寝袋よりも小さい場合、布の余りが発生するため動きづらいという問題があった。
【考案の概要】
【考案が解決しようとする課題】
【０００４】本考案は、以上のような従来の問題点を解決するため、着用者の身体が寝袋よりも小さい場合に発生する布の余りを少なくすることを目的としている。
【課題を解決するための手段】
【０００５】図面について説明すれば、寝袋背面の胴体部から足までの数カ所にループ形状の生地（１）を縫いつけ、その中に紐（２）を通す構造である。その紐を着用者のサイズに合わせて引っ張り、紐に付属の留め具（３）で留めることでサイズ調節を可能にする。
【考案の効果】
【０００６】寝袋背面部に通されている紐（２）を引っ張り、付属の留め具（３）で留めることで、着用者の身体が寝袋よりも小さい場合に発生する布の余りを引き締めることができる。その結果、布の余りによって発生する動きづらさを軽減することができる。
【図面の簡単な説明】
【０００７】
【図１】人型形状の寝袋の背面部から見た平面図
【符号の説明】
【００１１】１はループ形状の生地、２は紐、３は留め具。
【図１】
0003183688.tif 000003
【手続補正書】
【提出日】平成25年1月22日(2013.1.22)
【手続補正１】
【補正対象書類名】実用新案登録請求の範囲
【補正対象項目名】全文
【補正方法】変更
【補正の内容】
【実用新案登録請求の範囲】
【請求項１】
寝袋背面の胴体部から足までの数カ所にループ形状の生地（１）を縫いつけ、その中に紐（２）を通し、その紐の先端部分には留め具（３）を付けたことを特徴とする人型寝袋のサイズ調整構造。
(57)【要約】      （修正有）【課題】太陽光発電野立て架台用簡易基礎の構造を提供する。【解決手段】コンクリート平板など腐食に強く強度のある板にジョイントを介して支柱を取り付け、前記支柱が地上に出るようにこれらを地中へ埋めた事を特徴とする。地面を掘り支柱付きの平板を埋めるだけで完成するので、従来のコンクリート基礎にあった型枠やコンクリート打設が不要で工事時間を大幅に短縮し、材料費用も圧縮する。また、引き抜き強度は穴の深さで簡単に調節が可能となり、軟弱地盤へ容易に構築できる。【選択図】図２
0003183690.tif 000002
【実用新案登録請求の範囲】
【請求項１】
（１）コンクリート平板へ支柱を取り付けたものを地中へ埋め地上に出た支柱を使用する太陽光発電野立て架台用の簡易基礎の構造。
【考案の詳細な説明】
【技術分野】本考案は、太陽光発電システム野立て設置時に必要な基礎を簡易にするものである。
【背景技術】太陽光発電パネル架台の野立て設置では、強風による架台支柱の引き抜きに耐える基礎が必要である。
土壌が強い場合は、杭打ちや螺旋杭を打ち込み簡易な基礎とするが、軟弱な地盤ではコンクリート打設基礎が必要であり軟弱な地盤では時間と費用がかかり大変である。
【考案の開示】
【考案が解決しようとする課題】多数の基礎を必要とする太陽光発電パネル架台野立て設置では軟弱地盤に使用できる低コスト基礎が望まれている。
【課題が解決しようとするための手段】
この考案は、基礎を設置する時に地面を掘り下げ支柱のついたコンクリート平板を深い位置へ設置し、埋め戻しにより土の重みを利用し杭の引抜き力を増すことで、従来のコンクリート打設基礎のように大量のコンクリートを不要とし、残土を最小限にとどめることが可能となる。
【考案の効果】
地面を掘り支柱付きの平板を埋めるだけで完成するので、従来のコンクリート基礎にあった型枠やコンクリート打設が不要で工事時間を大幅に短縮し、材料費用も圧縮した。
そして、引き抜き強度は穴の深さで簡単に調節が可能となった。
軟弱地盤へ容易に構築でき、強い引き抜き荷重に応じる簡易基礎である。
【考案を実施する為の最良の形態】
コンクリート平板の支柱取り付け部へ自在継手を使用する。
【産業上の利用可能性】太陽光発電の普及に際し、事前準備も少なく速やかに着工出来、時間・費用を大きく削減できる。
【図面の簡単な説明】
【図１】正面図「簡易基礎を正面から示した図である。背面図も同じ形となるので省略。」
【図２】部品の形状「基礎構造部品で、コンクリート平板と支柱杭を自在継手で接続した地中へ埋める部品である。」
【図３】参考図  使用方法の説明に使用する参考図「Ａは、掘削した地面へ基礎構造部品を入れる前の状態を表している。」「Ｂは、地中へ基礎構造部品を入れた状態を表している。」「Ｃは、地中にある基礎構造部品を埋め戻した状態を表している。」「Ｄは、地中でコンクリート平板が傾いたまま埋め戻した例で、その場合でも支柱が垂直な状態を表している。」「Ｅは、地中に交差したパイプを固定して上部に土嚢を置き、横方向への強度も持たせた例を表している。」
【符号の説明】
【図１】
0003183690.tif 000003
【図２】
0003183690.tif 000004
【図３】
0003183690.tif 000005
【手続補正書】
【提出日】平成25年3月7日(2013.3.7)
【手続補正１】
【補正対象書類名】実用新案登録請求の範囲
【補正対象項目名】全文
【補正方法】変更
【補正の内容】
【実用新案登録請求の範囲】
【請求項１】
コンクリート平板など腐食に強く強度のある板にジョイントを介して支柱を取り付け、前記支柱が地上に出るようにこれらを地中へ埋めた事を特徴とする太陽光発電野立て架台用の簡易基礎の構造。
(57)【要約】      （修正有）【課題】寝たきりや車椅子での生活をしている人も簡単に入浴でき、経済的で便利な風呂を提供する。【解決手段】ビニールの空気袋で浴槽を作り、底に気泡の吹き出し口と、湯を沸かすためのヒーターを内蔵した盤を置く。浴槽は腰を盤まで沈めると、肩の所まで湯が上がってくるような形に作る。そして、ベッドの横に風呂を置き、被介護者の足を風呂の底の盤に乗せて、背中に回って、風呂の縁に腰かけさせてから、盤の所まで腰を下ろせば良い。さらに、気泡により洗浄作用とマッサージ効果がある。【選択図】図１
0003183694.tif 000002
【実用新案登録請求の範囲】
【請求項１】
浴槽の外側１回りと、底及び縁の所は厚めのビニールを使用して、内部はビニールのプールで使う位の厚さの物を使って作る。身体を浸けているだけで、洗い流してくれ、マッサージ効果もある。空気の袋で浴壁を作り、そして覆う。床ずれで苦しんでいる人などにも良い。楽にゆったり入れる風呂。
【請求項２】
バケツ２杯位の湯量で、移動、設置が簡単で光熱費と手間が掛からない。請求項１の楽にゆったり入れる風呂。
【請求項３】
腰を下ろす底の所に、気泡を吹き出す口と湯を沸かすヒーターを内蔵した盤を接地して置く。請求項１の楽にゆったり入れる風呂。
【考案の詳細な説明】
【技術分野】
【０００１】  本考案は、移動が簡単で、ベッドの横でも、どこへでも設置でき、少ない湯量で肩まで浸かれ、浸かっているだけで、身体をきれいに洗い流してくれる。床ずれで苦しんでいる人から健康な人まで、あらゆる地域のすべての人が利用できる。楽な姿勢で長い時間浸かれる風呂にする。
【背景技術】
【０００２】  今までは、風呂に入るには、２００リットル相当の水とそれを沸かす時間と費用が掛かった。また、寝たきりの人や車椅子の人を風呂に入れて洗ってやるには、介護する人の時間と労力が必要とされる。
【先行技術文献】
【０００３】
【特許文献１】特開２０１２−１７６２０８
【特許文献２】特開２００５−１７７４５１
【非特許文献】
【０００４】
【非特許文献１】実登  ３０７０４５９
【考案の概要】
【考案が解決しようとする課題】
【０００５】  普通の浴槽の五分の一位の水量で、どこにでも置いて使用出来る。ゆったり入れて、浸かっているだけで身体を洗う作用とマッサージ効果もある。身体の不自由な人も、真夏の暑さも快適に過ごせる。簡単に入浴できる風呂を作る。
【課題を解決するための手段】
【０００６】  本考案の風呂は、浴槽をビニールのプールに使用するような材質で造り、浴槽の壁は空気の袋でつくる。また、浴槽の身体を入れる所の外側は厚めのビニールを使用し、内側のビニールは、それより薄い物を使って作る。そして、足を入れる所の、ふたのようにかぶさる部分も、袋の上と下を何箇所か円の形で熱着して薄く作り、一体に使う。また、空気袋の背もたれにするところは、浴槽の縁に腰をかけてもあまり凹まない空気圧にしておく。足が浸かる方は、足をストールの様に足を乗せる形にする．浴槽の底の所に、電気を熱源とする、湯を沸かすためのヒーターを内蔵した、気泡を吹き出す盤を一体に作って置く。
【考案の効果】
【０００７】  本考案の風呂は、浴槽を空気の袋で囲んであるので、保温性に大変優れているのと、その上、ビニールは薄いので、すぐに温まり、肌が触れた時冷たさを感じることがない。また、表面がすべすべしているので肌触りも非常に良い。【０００８】  空気の袋の壁と身体との隙間を、少なくなるように造るので、気泡の管と接続した湯を沸かすヒーターを内蔵した盤に腰を下ろすと、肩までお湯が上がってきてゆったり浸かれる。【０００９】  そして、エアーポンプにより気泡が吹き出るので、マッサージ効果があるのと、体をきれいに洗い流す作用がある。【００１０】  さらに、ストールの付いた安楽椅子に掛けたような姿勢で、ぬるめの湯にゆっくり入れるので、本を読む事や、テレビを見ながら入ることが出来る。【００１１】  また、寝たきりで床ずれで苦しんでいる人などは、ベッドの横に風呂を置いて、湯の沸いた風呂に足を下ろさせ、それから介護者が背もたれの頭を載せる部分の所へ腰かけさせて、滑り込むように入れるため、入浴が簡単に出来る。【００１２】  さらに、お湯表面が空気と接する面積が少ないのと、ぬるめの温度で入るので、部屋を湿っぽくならない。【００１３】  日本においては、近年あちらこちらで最高気温を塗り替えています。湿気があるので不快指数が増します。そのような日には、本考案の風呂に水を入れてゆっくり浸かれば、身体を冷やすことが出来、風呂から出た後も、気分よく過ごすことが出来る。【００１４】  日本の夏も暑いが、日本だけでなく、海外にはもっと暑い国があり、暑さで熱中症により亡くなる方がいます。この風呂に水を入れて、浸かって身体を冷やせば、暑さをしのげ、出た後も、その暑さが心地良く感じて、熱中症で亡くなる方も少なくなる。【００１５】  そして、この風呂は軽くコンパクトに出来ているので、移動して設置することが簡単に出来る為。キャンピングカーに乗せて行って、現地で空気を入れて、木陰等で水浴することもでき、レジャーにも使って楽しむことが出来る。
【図面の簡単な説明】
【００１６】
【図１】断面図
【図２】上面図
【図３】図１、図２の記号Ａ，Ｂの切断図
【考案を実施するための形態】
【００１７】  空気を入れて、硬く膨らませたビニールの風呂に、バケツ２杯分くらいの水を入れる。そして、湯の温度が体温より何度か高くなったら、風呂に両足を入れて、縁に手をついて腰かけ、足を滑り込ませるように浸かる。
【実施例】
【００１８】  風呂に入る時に介護が必要な人は、ベッド脇に風呂を付けて、足を入れ背中に回って抱え込み、風呂の縁に腰かけさせてから足を滑り込ませる。そして、背もたれや枕に利用できる袋を別に作って置く。そして、風呂に入って何をするかによって、姿勢を合わせる補助具として利用する。【００１９】
【産業上の利用可能性】
【００２０】  本考案は、たたみ１枚の広さがあれば十分で、何所へでも設置できる。少量の水で、ゆったり入れて、浸かっているだけで、身体の洗浄とマッサージもしてくれる。介護用としても、熱中症対策にも使える、いろいろに利用できる、便利で経済的な風呂になる。
【符号の説明】
【０００】１、気泡の噴出し口と湯を沸かすヒーターを内蔵した盤。
２、腰かけることが出来る浴槽の縁。
３、空気の袋
４、足を入れる部分を覆う空気の袋
５、上下２枚を円形に接着
【図１】
0003183694.tif 000003
【図２】
0003183694.tif 000004
【図３】
0003183694.tif 000005
【手続補正書】
【提出日】平成25年3月7日(2013.3.7)
【手続補正１】
【補正対象書類名】実用新案登録請求の範囲
【補正対象項目名】全文
【補正方法】変更
【補正の内容】
【実用新案登録請求の範囲】
【請求項１】
ビニールからなる空気の袋で造られ背もたれに角度を付けて足乗せは高めになることを特徴とする多目的浴槽。
【請求項２】
腰を下ろす底の所に気泡を吹き出す口と湯を沸かすヒーターを内蔵した盤を置く請求項１の多目的浴槽。
(57)【要約】      （修正有）【課題】スーパーや小売店から持ち帰ったレジ袋を簡単に折り畳んで整理整頓をするのに役立つレジ袋折り畳み器を提供する。【解決手段】上向きがコの字型になった本体台座部と、本体台座部に脱着可能で、回転できるようにとりつけた板状の本体巻き取り部からなる。また、該本体巻き取り部は、板状の本体Ｂ５と、レジ袋おさえＢ１からなり、その間にレジ袋Ｃを挟めるように、レジ袋おさえＢ１の片端は止め部Ｂ６により固定され、レジ袋を本体巻き取り部の本体Ｂ５とレジ袋おさえＢ１間に装填して、回転することで巻き取り、それを外すことで折畳みできるようにする。【選択図】図４
0003183079.tif 000002
【実用新案登録請求の範囲】
【請求項１】
上向きがコの字型になった本体台座部Ａと、本体台座部Ａに脱着可能で、回転できるようにとりつけた板状の本体巻き取り部Ｂからなり、本体台座部Ａは、右側面部A1と、左側面部A2と底面部Ａ７を有するコの字状で、奥に堰板A6を設け、右側面部A1と、左側面部A2には、夫々、右軸受A3と左軸受A4を備え、本体巻き取り部Ｂは、板状の本体B5と、レジ袋おさえB1からなり、その間にレジ袋Ｃを挟めるように、レジ袋おさえB1の片端は止め部B6により固定され、レジ袋Ｃを、本体巻き取り部Ｂの本体B5とレジ袋おさえB1の間に装填して、回転することにより、レジ袋Ｃは、本体巻き取り部Ｂの本体B5と、本体台座部Ａの堰板A6の間で、絞りこまれながら巻き取り、それを本体巻き取り部Ｂから外して折畳めるようにしたことを特徴とするレジ袋折り畳み器。
【考案の詳細な説明】
【技術分野】
【０００１】
本考案はスーパーショップ、その他、商店から持ち帰ったレジ袋を簡単に折り畳みが出来て整理、整頓を促すレジ袋折り畳み器に関する。
【背景技術】
【０００２】
一般では、持ち帰ったレジ袋は、再度使うべく、折り畳まないで他の袋等にそのまま丸めて貯めたり、小さく手間の掛かる三角に折り畳んだりして置いていた。
【考案の概要】
【考案が解決しようとする課題】
【０００３】
本考案はレジ袋を持ち帰った時、折畳まずに、そのまま散らかしているのを止め、レジ袋を折畳んで、整理して収容することにより、整理の煩わしさを解消し、再度の取出しを容易にする事を目的にする。  
【課題を解決するための手段】
【０００４】
上向きがコの字型になった本体台座部Ａと、本体台座部Ａに脱着可能で、回転できるようにとりつけた板状の本体巻き取り部Ｂからなり、本体台座部Ａは、右側面部A1と、左側面部A2と底面部Ａ７を有するコの字状で、奥に堰板A6を設け、右側面部A1と、左側面部A2には、夫々、右軸受A3と左軸受A4を備え、本体巻き取り部Ｂは、板状の本体B5と、レジ袋おさえB1からなり、その間にレジ袋Ｃを挟めるように、レジ袋おさえB1の片端は止め部B6により固定され、レジ袋Ｃを、本体巻き取り部Ｂの本体B5とレジ袋おさえB1の間に装填して、回転することにより、レジ袋Ｃは、本体巻き取り部Ｂの本体B5と、本体台座部Ａの堰板A6の間で、絞りこまれながら巻き取り、それを本体巻き取り部Ｂから外して折畳めるようにしたことを特徴とするレジ袋折り畳み器。
【考案の効果】
【０００５】
本考案のレジ袋折り畳み器を使用する事により、コンパクトに畳めて他の小箱等に綺麗に整理が出来る事に役立つ。
【図面の簡単な説明】
【０００６】
【図１】本考案のレジ袋折り畳み器の全体構成図
【図２】本考案のレジ袋折り畳み器の本体台座部の構成図
【図３】本考案のレジ袋折り畳み器の本体巻き取り板部図
【図４】本考案のレジ袋折り畳み器へのレジ袋設置状態図
【図５】本考案のレジ袋折り畳み器の巻き取り開始状態図
【図６】本考案のレジ袋折り畳み器のレジ袋巻取りの仕組み
【図７】レジ袋を巻いた状態図
【図８】レジ袋を抜いた状態と折り畳み図
【考案を実施するための形態】
【０００７】
本考案のレジ袋折り畳み器は、レジ袋を、レジ袋折り畳み器にセットして本体巻き取り板を回転して巻き取り、レジ袋を取り外して畳める器具である。
【０００８】
図１は、本考案のレジ袋折り畳み器の全体構成図で、図２は、本体台座部、図３は、本体巻き取り板部を示す。
本考案のレジ袋折り畳み器は、本体台座部Ａと、本体巻き取り部Ｂで構成する。本体台座部Ａは、図２に示すように、右側面部A1と、左側面部A2と底面部Ａ７を有するコの字状で、奥に堰板A6を設けている。右側面部A1と、左側面部A2には、夫々、右軸受A3と左軸受A4を備える。
【０００９】
本体巻き取り部Ｂは、板状の本体B5と、レジ袋おさえB1からなる。レジ袋おさえB1の片端は、板状の本体B5に、止め部B6により固定され、他端は、開放されている。本体B5の左右には、夫々左右に突き出て、本体台座部Ａの左軸受A4、右軸受A3に載せられるように、左回転軸B4、右回転軸B3を有する。右回転軸B3の延長線上には回転ツマミB2を備える。
【００１０】
本体巻き取り部Ｂに、レジ袋Ｃをレジ袋おさえＢ１を持ち上げて挟み込んで、本体台座部Ａに載せて、回転させると、レジ袋Ｃは、本体巻き取り部Ｂの本体B5と、本体台座部Ａの堰板A6の間に挟まるので、絞りこまれながら巻き取られる。
【００１１】
図４から図８で、本考案のレジ袋折り畳み器使用方法を説明する。
まず、図４に示すように、レジ袋Ｃをレジ袋おさえＢ１を持ち上げて、レジ袋の底部Ｃ３を挟み込み空気を抜くのに下方向に手提げ部の根元Ｃ２まで引く（あらかじめ出来るだけレジ袋の空気を抜いておくのも要)。次に、図５に示すように、そのままでレジ袋Ｃの手前の袋底部Ｃ３をレジ袋おさえＢ１の向こうに倒して手提げ部Ｃ１と重ね、回転ツマミＢ２で本体巻き取り板部Ｂを回す。
【００１２】
図６のように、レジ袋Ｃの袋底部Ｃ３を手提げ部Ｃ１の方に倒すことによって堰板Ａ５を乗り越えて通過するので、抵抗がかかり巻き取りが絞まる。巻き終えたら、図７のように、レジ袋Ｃを巻いた本体巻き取り板部Ｂを本体台座部Ａから取り外し、レジ袋Ｃを本体巻き取り板部Ｂからずらす様にして抜く。最後に、図８（ａ）（ｂ）に示すように、抜いたレジ袋Ｃの両端をベルト状に合わせ、巻き終わりのレジ袋Ｃの袋底部Ｃ３に挟み込んで出来上がる。上記は、右利きの場合で左利きの場合は本体巻き取り板部Ｂを左右逆に本体台座部Ａに固定すればよい。また回転軸止めＡ５は左側面部Ａ４軸受から右側面部Ａ３軸受に変えて固定する様に設定します。
【符号の説明】
【００１３】
Ａ    本体  台座部
Ａ１  右側面部
Ａ２  左側面部                    
Ａ３  右軸受  
Ａ４  左軸受  
Ａ５  軸止メ
Ａ６  堰板
Ａ７  底面部
Ｂ    本体巻き取り板部
Ｂ１  レジ袋おさえ
Ｂ２  回転ツマミ
Ｂ３  右回転軸
Ｂ４  左回転軸
Ｂ５  本体
Ｂ６  止め部
Ｃ    レジ袋
Ｃ１  手提げ部
Ｃ２  手提げ部の根元
Ｃ３  袋底部
【図１】
0003183079.tif 000003
【図２】
0003183079.tif 000004
【図３】
0003183079.tif 000005
【図４】
0003183079.tif 000006
【図５】
0003183079.tif 000007
【図６】
0003183079.tif 000008
【図７】
0003183079.tif 000009
【図８】
0003183079.tif 000010
(57)【要約】      （修正有）【課題】筆記具を保持する機能、照明する機能、メモ帳を吊るす機能を有する多機能フックを提供する。【解決手段】台盤Ａと、台盤の表側に、筆記具を収容でき、指圧により塑性変形可能な金属棒の螺旋壷状のホルダー１を備えた多機能フックで、前記台盤表側に、メモ帳を吊るすために連結軸７と、照明器具１１を備え、メモ帳を暗いところでも読めるように前記メモ帳を照明可能にしたことを特徴とする多機能フック。【選択図】図１
0003183074.tif 000002
【実用新案登録請求の範囲】
【請求項１】
台盤（Ａ）と、台盤の表側に、筆記具（Ｊ）を収容でき、指圧により塑性変形可能な金属棒の螺旋壷状のホルダー（１）を備えたことを特徴とする多機能フック。
【請求項２】
前記台盤表側に、メモ帳を吊るすために連結軸（７）と、照明器具（１１）を備え、前記メモ帳を照明可能にしたことを特徴とする請求項１に記載の多機能フック。
【考案の詳細な説明】
【技術分野】
【０００１】
本案は、電話器や廊下等の壁や机等生活習慣の筆記具、装身具、鍵等の道具を収容でき、照明具を有する多機能フックである。
【背景技術】
【０００２】
従来のフックに、単に、物を吊るすのみである。
【先行技術文献】
【特許文献】
【０００３】
【特許文献１】実願２０１１ー００６１７０公報
【考案の概要】
【考案が解決しようとする課題】
【０００４】
通常のフックには、筆記具を保持する機能、照明する機能、メモ帳を吊るす機能を有しない。
【課題を解決するための手段】
【０００５】
台盤Ａと、台盤の表側に、筆記具（Ｊ）を収容できる、指圧により塑性変形可能な金属棒の螺旋壷状のホルダー（１）とを備えたことを特徴とする多機能フック。
【０００６】
前記台盤表側に、メモ帳を吊るすために連結軸（７）と、照明器具（１１）を備え、前記メモ帳を照明可能にしたことを特徴とする請求項１に記載の多機能フック。
【考案の効果】
【０００７】
本考案の多機能フックは、鉛筆等を収容するホルダー、照明機能、メモ帳などを吊るす機能を有する。
【図面の簡単な説明】
【０００８】
【図１】本考案の多機能フックの構成（正面図）
【図２】本考案の多機能フックの構成（側面図）
【図３】図１のＳ-Ｓ´断面図
【考案を実施するための形態】
【０００９】
図１と図２は、夫々、本考案の多機能フックの構成の正面図と側面図を示す。
本考案の多機能フック、平面の台盤（A）上に、筆記具（Ｊ）を収容できるホルダー（１）と、メモ帳等を吊るす連結軸（７）を取り付ける軸受（５）、及び、照明器具（１１）を備える。
ホルダー（１）は、螺旋壷状で、台盤（A）に溶接等により固定され、螺旋状の他端は制御桿（１０）を有する。
この制御桿（１０）を引っ張ったり、押したりすることで、螺旋壷状の傾斜を変えたり、長さを伸ばしたり、短くしたりできる。
照明器具（１１）は、筐（P）を備える。照明部（１１）の台盤（A）には、電池（E）が収容され、その上部の筐（P）に上部には蛍光塗料を塗った装飾玉（O）を備える。装飾玉の中には電球（F）を備え、筐（P）に、照明をオン・オフするためのスイッチ（Y）を有する。軸受（５）は、メモ帳（C）の綴具（D)の連結軸（７）が回転と移動可能に嵌合されている。
【００１０】
図２のように多機能フックの台盤（A）は接着テープ（B）で、壁などに張られて固定される。
【００１１】
図３は図１のＳ-Ｓ´の断面図である。
【符号の説明】
【００１２】
A        台盤     
B        接着テープ
M        下地    
C        メモ帳 
D        綴具    
J        筆記具
P        筐
O        装飾玉 
E        電池
F        電球
Y        スイッチ  
１       ホルダー
２       山形部
３       平形部
４       固定部
５       軸受    
６       軸受    
７       連結軸
８       桿の軸
９       蝶津具
１０     制御桿
１１     照明器具
【図１】
0003183074.tif 000003
【図２】
0003183074.tif 000004
【図３】
0003183074.tif 000005